(57)【要約】【課題】簡単に製造可能な構造によって、防振装置本体のブラケットからの抜けを高い信頼性で防止することができる、新規な構造のブラケット付き防振装置を提供すること。【解決手段】第一の取付部材１４と第二の取付部材１６が本体ゴム弾性体１８で連結された防振装置本体１２において第二の取付部材１６の幅方向両側に設けられた嵌着部２４，２４が、ブラケット６６の幅方向両側の対向内面８５，８５に設けられた嵌着溝８６，８６へ嵌め入れられることで、防振装置本体１２がブラケット６６に横方向から組み付けられたブラケット付き防振装置１０において、ブラケット６６における第二の取付部材１６の組付方向の奥側に位置する奥壁部９０に係止孔９６が設けられている一方、第二の取付部材１６のブラケット６６への組付方向の先端部分において係止孔９６へ挿入係止されることでかかる組付方向と反対に向かう戻りを阻止する係止部５０が設けられている。【選択図】図１
2020159446.tif 000002
【特許請求の範囲】
【請求項１】
第一の取付部材と第二の取付部材が本体ゴム弾性体で連結された防振装置本体において該第二の取付部材の幅方向両側に設けられた嵌着部が、ブラケットの幅方向両側の対向内面に設けられた嵌着溝へ嵌め入れられることで、該防振装置本体が該ブラケットに横方向から組み付けられたブラケット付き防振装置において、
前記ブラケットにおける前記第二の取付部材の組付方向の奥側に位置する奥壁部に係止孔が設けられている一方、
該第二の取付部材の該ブラケットへの組付方向の先端部分において該係止孔へ挿入係止されることでかかる組付方向と反対に向かう戻りを阻止する係止部が設けられているブラケット付き防振装置。
【請求項２】
前記ブラケットの前記奥壁部には、外面に開口する凹所が設けられており、該凹所の底部に前記係止孔が形成されている請求項１に記載のブラケット付き防振装置。
【発明の詳細な説明】
【技術分野】
【０００１】
本発明は、防振装置本体がブラケットに対して横方向から組み付けられたブラケット付き防振装置に関するものである。
【背景技術】
【０００２】
従来から、エンジンマウントなどに用いられる防振装置が知られている。防振装置は、第一の取付部材と第二の取付部材が本体ゴム弾性体で連結された防振装置本体を備えている。また、防振装置には、防振装置本体の第二の取付部材にブラケットが取り付けられたものがあり、第二の取付部材がブラケットを介して車両ボデーなどに取り付けられる。ブラケット付き防振装置としては、例えば、特表２０１０−５２８２３３号公報（特許文献１）に開示されたものがある。
【０００３】
ところで、ブラケット付き防振装置は、第二の取付部材の幅方向両側に設けられた嵌着部が、ブラケットの幅方向両側の対向内面に設けられた嵌着溝へ嵌め入れられることによって、防振装置本体がブラケットに横方向から組み付けられるものがある。このような防振装置本体とブラケットの組付構造では、防振装置本体のブラケットからの抜けを防止する機構が設けられる場合もある。特許文献１では、第二の取付部材の嵌着部が嵌着溝内に設けられるスナップフィッティング突起を乗り越えることで、第二の取付部材のブラケットからの抜けが防止される。
【先行技術文献】
【特許文献】
【０００４】
【特許文献１】特表２０１０−５２８２３３号公報
【発明の概要】
【発明が解決しようとする課題】
【０００５】
しかし、本発明者が検討したところ、特許文献１のスナップフィット構造は、スナップフィット突起が嵌着溝内にあることから、第二の取付部材がスナップフィット突起を確実に乗り越えて係合しているかどうかを確認することが難しい。
【０００６】
また、スナップフィット突起は、嵌着溝の壁部を抉ることで形成されていることから、嵌着溝の強度の低下が問題になる場合もある。更に、スナップフィット突起の突出方向は、嵌着溝の延びる方向に対して略直交する方向であることから、ブラケットの製造に際して、金型構造が複雑になるおそれもある。
【０００７】
本発明の解決課題は、簡単に製造可能な構造によって、防振装置本体のブラケットからの抜けを高い信頼性で防止することができる、新規な構造のブラケット付き防振装置を提供することにある。
【課題を解決するための手段】
【０００８】
以下、本発明を把握するための好ましい態様について記載するが、以下に記載の各態様は、例示的に記載したものであって、適宜に互いに組み合わせて採用され得るだけでなく、各態様に記載の複数の構成要素についても、可能な限り独立して認識及び採用することができ、適宜に別の態様に記載の何れかの構成要素と組み合わせて採用することもできる。それによって、本発明では、以下に記載の態様に限定されることなく、種々の別態様が実現され得る。
【０００９】
第一の態様は、第一の取付部材と第二の取付部材が本体ゴム弾性体で連結された防振装置本体において該第二の取付部材の幅方向両側に設けられた嵌着部が、ブラケットの幅方向両側の対向内面に設けられた嵌着溝へ嵌め入れられることで、該防振装置本体が該ブラケットに横方向から組み付けられたブラケット付き防振装置において、前記ブラケットにおける前記第二の取付部材の組付方向の奥側に位置する奥壁部に係止孔が設けられている一方、該第二の取付部材の該ブラケットへの組付方向の先端部分において該係止孔へ挿入係止されることでかかる組付方向と反対に向かう戻りを阻止する係止部が設けられているものである。
【００１０】
本態様に従う構造とされたブラケット付き防振装置によれば、ブラケットの係止孔が嵌着溝から外れた奥壁部に設けられていることから、係止孔の形成が嵌着溝の強度に影響するのを回避できる。それ故、第二の取付部材の嵌着部が嵌め入れられることで応力が作用し易い嵌着溝において強度が十分に確保されると共に、係止部が係止孔へ挿入係止されることで、第二の取付部材のブラケットからの抜けが防止される。
【００１１】
第二の取付部材のブラケットへの組付方向の奥側に位置する奥壁部に係止孔が設けられていることから、係止孔が嵌着溝の延びる方向に形成される。それ故、ブラケットを製造する際に、ブラケットの内面を成形する金型が組付方向及びその反対方向で抜き差し容易とされており、組付方向で分割された簡単な金型構造で係止孔を形成することができる。
【００１２】
係止孔が奥壁部を貫通して設けられることによって、係止孔に対する係止部の挿入係止の状況を目視によって簡単に確認することができる。それ故、係止部が係止孔に正しく挿入係止されたかどうかが確実に把握されて、係止不良などの製造上の不具合が防止されることで、防振装置本体のブラケットからの抜けが高い信頼性で回避される。
【００１３】
第二の取付部材の係止部が、ブラケットへの組付方向の先端部分に設けられている。これにより、第二の取付部材がブラケットに組み付けられる際に、係止部がブラケットで囲まれた領域へ最初に差し入れられて保護されることから、係止部が組付け時に損傷し難くなる。
【００１４】
第二の態様は、第一の態様に記載されたブラケット付き防振装置において、前記ブラケットの前記奥壁部には、外面に開口する凹所が設けられており、該凹所の底部に前記係止孔が形成されているものである。
【００１５】
本態様に従う構造とされたブラケット付き防振装置によれば、係止孔を貫通して突出する係止部の先端部分が、奥壁部の外面から大きく突出するのを防ぐことができる。特に、凹所の深さが、係止部の先端部分の係止孔からの突出高さよりも大きくされていれば、係止部の先端部分を凹所内に収容して外部へ突出しないようにもできる。これにより、例えば、突出した係止部の先端部分が他の部材に引っ掛かるなどして、係止部と係止孔の係止が意図せずに解除されるのを防ぐことができる。また、係止部の先端部分の突出高さを小さくすることで、ブラケット付き防振装置の小型化も図られる。
【発明の効果】
【００１６】
本発明によれば、簡単に製造可能な構造によって、防振装置本体のブラケットからの抜けを高い信頼性で防止可能なブラケット付き防振装置を提供することができる。
【図面の簡単な説明】
【００１７】
【図１】本発明の第一の実施形態としてのエンジンマウントを示す斜視図
【図２】図１に示すエンジンマウントを別角度で示す斜視図
【図３】図１に示すエンジンマウントの正面図
【図４】図３に示すエンジンマウントの断面図であって、図５のＩＶ−ＩＶ断面図
【図５】図３のＶ−Ｖ断面図
【図６】図１に示すエンジンマウントを構成するマウント本体の斜視図
【発明を実施するための形態】
【００１８】
以下、本発明の実施形態について、図面を参照しつつ説明する。
【００１９】
図１〜５には、本発明に係るブラケット付き防振装置の第一の実施形態として、自動車用のエンジンマウント１０が示されている。エンジンマウント１０は、防振装置本体としてのマウント本体１２を備えている。以下の説明において、原則として、上下方向とはマウント中心軸方向である図３中の上下方向を、前後方向とは図３中の紙面直交方向を、左右方向とは図３中の左右方向を、それぞれ言う。
【００２０】
より詳細には、マウント本体１２は、図６に示すように、第一の取付部材１４と第二の取付部材１６が本体ゴム弾性体１８によって連結された構造を有している。
【００２１】
第一の取付部材１４は、金属や合成樹脂などで形成された高剛性の部材であって、図４，５に示すように、中実の円形ブロック状とされている。第一の取付部材１４は、下方に向けて小径となっている。第一の取付部材１４は、上面に開口して上下方向に延びるねじ穴２０を有している。
【００２２】
第二の取付部材１６は、固着部材２２を備えている。固着部材２２は、第一の取付部材１４と同様に高剛性の部材であって、略矩形枠状とされている。固着部材２２は、外周部分が内周部分よりも下方へ突出して上下寸法を大きくされている。図４の左右方向に相当する第二の取付部材１６の幅方向の両側における上下寸法の大きい固着部材２２の外周部分によって、後述するアウタブラケット６６の嵌着溝８６に嵌め入れられる一対の嵌着部２４，２４が構成されている。
【００２３】
第一の取付部材１４と第二の取付部材１６の固着部材２２は、略同一中心軸上で上下に離れて配置されて、それら第一の取付部材１４と固着部材２２の間に本体ゴム弾性体１８が設けられている。本体ゴム弾性体１８は、略円錐台形状とされて、小径側となる上部に第一の取付部材１４が固着されていると共に、大径側となる下部の外周面に第二の取付部材１６の固着部材２２が固着されている。本体ゴム弾性体１８は、成形時に第一の取付部材１４と第二の取付部材１６の固着部材２２に加硫接着されている。
【００２４】
本体ゴム弾性体１８は、下方に向けて開口する凹状部２６を備えている。この凹状部２６は、周壁の上部が上方に向けて小径となるテーパ形状とされている。本体ゴム弾性体１８は、凹状部２６が形成されることによって、下方に向けて外周へ傾斜するテーパ状の断面形状を有している。
【００２５】
固着部材２２における嵌着部２４の下面及び外周面の下部には、図４，６に示すように、本体ゴム弾性体１８と一体形成された圧入ゴム２８が固着されている。圧入ゴム２８は、固着部材２２の前後方向の中央部分に固着されており、凹状部２６の外周側で本体ゴム弾性体１８と連続している。
【００２６】
第二の取付部材１６を構成する固着部材２２には、仕切部材３０が取り付けられている。仕切部材３０は、全体として略円板形状とされており、仕切部材本体３２と蓋部材３４の間に可動部材３６を配した構造を有している。
【００２７】
仕切部材本体３２は、外周部分を周方向に一周に満たない長さで延びる周溝３８が、上面に開口して形成されている。周溝３８の一方の端部には、周溝３８の下壁部を貫通する下連通孔４０が形成されている。仕切部材本体３２の内周部分には、環状の収容凹所４２が上面に開口して形成されている。収容凹所４２の下壁部には、複数の下透孔４４が貫通形成されている。
【００２８】
蓋部材３４は、薄肉の円板形状とされており、仕切部材本体３２の上面に重ね合わされて固定されている。蓋部材３４には、周溝３８の他方の端部を覆う部分に図示しない上連通孔が形成されている。蓋部材３４には、収容凹所４２を覆う部分に図示しない複数の上透孔が形成されている。
【００２９】
仕切部材本体３２の収容凹所４２には、可動部材３６が収容されている。可動部材３６は、略円環板形状のゴム弾性体であって、内周端部と外周端部がそれぞれ上側へ突出して厚肉とされている。そして、可動部材３６が収容凹所４２に差し入れられた状態で、蓋部材３４が仕切部材本体３２に固定されることにより、可動部材３６が仕切部材本体３２と蓋部材３４の間で収容凹所４２に収容されている。可動部材３６は、厚肉とされた内周端部と外周端部が、仕切部材本体３２と蓋部材３４の上下方向間で挟持されており、それら内周端部と外周端部の間において厚さ方向の弾性変形を許容されている。
【００３０】
仕切部材３０の下方には、薄肉のエラストマで形成された可撓性膜４６が設けられている。可撓性膜４６は、外周端部が厚肉とされて、仕切部材本体３２の下面に重ね合わされている。そして、可撓性膜４６の外周端部に対して、枠状の支持部材４８が下方から重ね合わされており、後述するマウント本体１２のアウタブラケット６６への装着状態において、可撓性膜４６の外周端部が仕切部材本体３２と支持部材４８の間で挟持されている。
【００３１】
支持部材４８は、本実施形態において第二の取付部材１６を構成する部材であって、固着部材２２と同様に高剛性の部材とされている。支持部材４８は、後述するマウント本体１２のアウタブラケット６６への装着状態において、内周部分が可撓性膜４６を挟持すると共に、外周部分が仕切部材本体３２の下面に当接する。これにより、支持部材４８が仕切部材本体３２を介して固着部材２２に対して位置決めされて、それら固着部材２２と支持部材４８によって本実施形態の第二の取付部材１６が構成されている。
【００３２】
支持部材４８の前方には、係止部５０が設けられている。係止部５０は、図５，６に示すように、支持部材４８の前面から延び出す板状の挿通部５２と、挿通部５２から上方へ突出する係止突起５４とが、一体形成された構造を有している。係止突起５４の後方の側面は、前後方向に対して略直交して広がっている。係止部５０の前端面は、前方に向けて下傾する傾斜面５６とされている。これにより、係止部５０の突出先端部分は、突出先端側である前側に向けて上下方向で次第に薄肉とされている。
【００３３】
本体ゴム弾性体１８の一体加硫成形品を構成する第二の取付部材１６に対して、仕切部材３０と可撓性膜４６が取り付けられることにより、本体ゴム弾性体１８と仕切部材３０の間には、壁部の一部が本体ゴム弾性体１８で構成された受圧室５８が形成される。更に、仕切部材３０と可撓性膜４６の間には、壁部の一部が可撓性膜４６で構成された平衡室６０が形成される。受圧室５８と平衡室６０には、非圧縮性流体が封入される。非圧縮性流体は特に限定されるものではないが、例えば水やエチレングリコールなどが採用される。非圧縮性流体は、混合液であっても良い。
【００３４】
受圧室５８と平衡室６０は、周溝３８を含んで構成されるオリフィス通路６２によって、相互に連通されている。オリフィス通路６２は、仕切部材３０の外周部分を周方向に延びて、両端部が受圧室５８と平衡室６０の各一方に接続されている。そして、第一の取付部材１４と第二の取付部材１６の間に上下方向の振動が入力されて、受圧室５８と平衡室６０の間に内圧差が生じると、受圧室５８と平衡室６０の間でオリフィス通路６２を通じた流体流動が生じて、流体の流動作用に基づく高減衰作用などの防振効果が発揮されるようになっている。オリフィス通路６２は、流動流体の共振周波数であるチューニング周波数が、通路断面積と通路長さの比によって防振対象振動の周波数に調節されており、例えば、エンジンシェイクに相当する１０Ｈｚ程度の低周波に設定される。
【００３５】
収容凹所４２に配された可動部材３６の上下両面には、受圧室５８の液圧と平衡室６０の液圧との各一方が及ぼされている。そして、第一の取付部材１４と第二の取付部材１６の間に上下方向の振動が入力されて、受圧室５８と平衡室６０の間に内圧差が生じると、可動部材３６が厚さ方向に弾性変形して、受圧室５８の液圧を平衡室６０に伝達して逃すようになっている。
【００３６】
低周波大振幅振動が入力される場合には、オリフィス通路６２を通じた流体流動が共振状態で積極的に生じて、高減衰による防振効果が発揮される。低周波大振幅振動が入力される場合には、可動部材３６の変形が追従しきれず、可動部材３６の変形による液圧を逃す作用が発揮されないことから、オリフィス通路６２を通じた流体の流動が効率的に生じる。中乃至高周波の小振幅振動が入力される場合には、オリフィス通路６２が反共振によって実質的な目詰まり状態になる。中乃至高周波の小振幅振動が入力される場合には、可動部材３６が共振状態で積極的に弾性変形して液圧を逃すことで、低動ばね化による防振効果が発揮される。
【００３７】
マウント本体１２には、インナブラケット６４とブラケットとしてのアウタブラケット６６が取り付けられている。
【００３８】
インナブラケット６４は、板状の部材であって、第一の取付部材１４の上面に重ね合わされて前方（図５中の右方）へ延び出す連結部６８と、連結部６８の前方に一体形成された取付部７０とを、備えている。連結部６８は、第一の取付部材１４の上面に重ね合わされる部分に、上下方向に貫通するボルト孔７２を備えている。取付部７０は、連結部６８に対して左右両側へ突出しており、上下方向に貫通するボルト孔７４を備えている。そして、インナブラケット６４は、連結部６８のボルト孔７２に挿通された連結ボルト７６が、第一の取付部材１４のねじ穴２０に螺着されることで、第一の取付部材１４に固定されて、マウント本体１２に取り付けられている。
【００３９】
アウタブラケット６６は、一対の脚部７８，７８を備えている。一対の脚部７８，７８は、それぞれ上下方向に延びており、左右方向で相互に対向して設けられている。一対の脚部７８，７８の上端部は、一体形成された天壁部８０によって相互に連結されている。一対の脚部７８，７８の下端部には、左右方向の外側へ向けて突出する取付片８２がそれぞれ設けられており、各取付片８２には上下方向に貫通するボルト孔８４が形成されている（図１，２参照）。
【００４０】
一対の脚部７８，７８は、アウタブラケット６６の幅方向となる図４の左右方向で対向する対向内面８５，８５を有しており、左右方向の対向内面８５，８５に開口する嵌着溝８６，８６を備えている。アウタブラケット６６の幅方向両側に設けられた嵌着溝８６，８６は、前後方向で直線的に延びており、一方の端部が一対の脚部７８，７８の後端まで達して後面に開口していると共に、他方の端部が一対の脚部７８，７８の前端までは達していない。
【００４１】
一対の脚部７８，７８における嵌着溝８６，８６よりも下側には、一対の脚部７８，７８の対向方向の内側に突出する挟持部８８が設けられている。挟持部８８は、左右両側部分が前後方向の両端において左右方向につながっており、全体として筒状とされている。
【００４２】
一対の脚部７８，７８の前端部分には、奥壁部９０が設けられている。奥壁部９０は、前後方向に対する交差方向に広がる板状とされており、左右両端部が一対の脚部７８，７８につながっている。奥壁部９０の上端部は、天壁部８０に対して下側へ離れており、奥壁部９０と天壁部８０の間には、前後方向に貫通する挿通孔９２が形成されている。奥壁部９０には、凹所９４が形成されている。凹所９４は、図１，３に示すように、奥壁部９０の左右方向の中央部分に形成されている。凹所９４は、マウント本体１２が配されるスペースに対して外面となる奥壁部９０の前面に開口している。凹所９４の前後深さ寸法は、マウント本体１２における係止部５０の係止突起５４の後面から先端側の前後寸法よりも大きくされている。
【００４３】
図５に示すように、奥壁部９０における凹所９４の底部には、係止孔９６が形成されている。係止孔９６は、奥壁部９０を凹所９４の形成部分において前後方向に貫通している。係止孔９６は、マウント本体１２の係止部５０の前後方向の投影形状と略対応する孔断面形状を有している。
【００４４】
マウント本体１２は、アウタブラケット６６に取り付けられている。即ち、マウント本体１２は、アウタブラケット６６の一対の脚部７８，７８と天壁部８０と挟持部８８とによって囲まれたスペースに対して、後方から組付方向である前方へ向けて差し入れられて配される。その際に、マウント本体１２の第二の取付部材１６は、図４に示すように、固着部材２２の左右両側の嵌着部２４，２４が、一対の脚部７８，７８の嵌着溝８６，８６に嵌め入れられる。また、マウント本体１２の第二の取付部材１６は、支持部材４８の下面がアウタブラケット６６の挟持部８８の上面に重ね合わされる。これらにより、第二の取付部材１６がアウタブラケット６６に固定されて、マウント本体１２がアウタブラケット６６に上下方向と略直交する横方向から組み付けられる。
【００４５】
第二の取付部材１６の嵌着部２４，２４には、それぞれ圧入ゴム２８が固着されており、嵌着部２４，２４の左右外面と下面が圧入ゴム２８，２８を介して嵌着溝８６，８６に嵌め合わされる。これにより、嵌着部２４，２４及び嵌着溝８６，８６の寸法誤差による嵌め合わせの不良が回避されると共に、嵌め合わせに必要な力のバラつきが低減される。
【００４６】
嵌着溝８６，８６に嵌め合わされた固着部材２２と、挟持部８８の上面に重ね合わされた支持部材４８には、上下方向で相互に接近する方向の力が作用する。これにより、固着部材２２と仕切部材３０の間で本体ゴム弾性体１８の下端部が上下方向に圧縮されると共に、仕切部材３０と支持部材４８の間で可撓性膜４６の外周端部が上下方向に圧縮される。これにより、受圧室５８及び平衡室６０の壁部における流体密性が高められて、液漏れなどの不具合が回避される。
【００４７】
図５に示すように、マウント本体１２がアウタブラケット６６に組み付けられることによって、マウント本体１２の支持部材４８に設けられた係止部５０は、アウタブラケット６６の奥壁部９０に形成された係止孔９６に挿通される。即ち、マウント本体１２におけるアウタブラケット６６への組付方向の先端部分に設けられた係止部５０は、傾斜面５６が係止孔９６の開口周縁部に押し当てられることにより、係止部５０が弾性的に撓みながら係止孔９６に挿通される。係止部５０の係止突起５４が係止孔９６よりも前方まで移動すると、係止孔９６の周壁内面と係止突起５４との押し当てが解除されて、係止部５０が初期形状に復元し、係止部５０が挿通部５２において係止孔９６に挿通された状態とされる。
【００４８】
係止部５０は、マウント本体１２においてアウタブラケット６６への組付方向の先端部分に設けられている。それ故、マウント本体１２のアウタブラケット６６への組付けに際して、アウタブラケット６６の一対の脚部７８，７８と天壁部８０と挟持部８８とによって囲まれた領域へ係止部５０が最初に差し入れられる。その結果、マウント本体１２のアウタブラケット６６への組付作業において、係止部５０がアウタブラケット６６によって保護されて、係止部５０の損傷が回避され易い。
【００４９】
嵌着部２４，２４が嵌着溝８６，８６によって案内される方向と、係止部５０が係止孔９６に挿入される方向が、互いに同じ方向とされている。それ故、嵌着部２４，２４を嵌着溝８６，８６に嵌め入れることで、係止部５０が係止孔９６に対して簡単に挿入係止される。
【００５０】
係止孔９６に挿通されて初期形状に復元した係止部５０は、係止突起５４の上端部が係止孔９６の開口よりも上側まで突出した状態とされる。これにより、マウント本体１２がアウタブラケット６６に対して組付方向と反対の抜け方向となる後方へ移動しようとすると、係止部５０の係止突起５４が係止孔９６の開口周縁部に係止されて、マウント本体１２のアウタブラケット６６に対する後方への戻りが阻止される。このように、マウント本体１２の係止部５０が、アウタブラケット６６の係止孔９６に挿入係止されることで、マウント本体１２のアウタブラケット６６からの抜けを防止する抜止機構が構成されている。
【００５１】
マウント本体１２とアウタブラケット６６の分離を防止する抜止機構は、マウント本体１２の嵌着部２４，２４がアウタブラケット６６の嵌着溝８６，８６へ嵌め合わされたマウント本体１２とアウタブラケット６６の組付構造とは独立して設けられている。それ故、嵌着部２４，２４と嵌着溝８６，８６の嵌め合わせによるマウント本体１２とアウタブラケット６６の組付強度を十分に確保しながら、マウント本体１２のアウタブラケット６６からの抜けを阻止することができる。
【００５２】
マウント本体１２のアウタブラケット６６への組付方向を含む前後方向において、係止孔９６が奥壁部９０を直線的に貫通して設けられている。それ故、アウタブラケット６６を鋳造（ダイカスト）によって成形する際に、前後に分割された成形用の金型によって奥壁部９０を形成することで、係止孔９６を簡単に形成することができる。しかも、嵌着溝８６，８６も前後方向に延びていることから、前後に分割された成形用の金型によって一対の脚部７８，７８の対向内面８５，８５を成形することで、嵌着溝８６，８６と係止孔９６の両方を簡単に形成することができる。
【００５３】
係止孔９６に挿通された係止部５０は、先端部分が奥壁部９０よりも前方に突出して露出することから、係止部５０が係止孔９６に対して正しい状態で係止されていることを、目視によって容易に確認することができる。
【００５４】
なお、インナブラケット６４とアウタブラケット６６がマウント本体１２に装着されたエンジンマウント１０は、例えば、インナブラケット６４が、取付部７０のボルト孔７４，７４に挿通される図示しないボルトによって、図示しないパワーユニットに取り付けられる。インナブラケット６４は、アウタブラケット６６の挿通孔９２を通じて、アウタブラケット６６の奥壁部９０よりも前方へ突出している。また、エンジンマウント１０は、例えば、アウタブラケット６６が、取付片８２，８２のボルト孔８４，８４に挿通される図示しないボルトによって、図示しない車両ボデーに取り付けられる。これらにより、パワーユニットが車両ボデーに対してエンジンマウント１０を介して防振連結されている。
【００５５】
以上、本発明の実施形態について詳述してきたが、本発明はその具体的な記載によって限定されない。例えば、前記実施形態の第二の取付部材１６は、固着部材２２と支持部材４８に分かれていたが、全体が１つの部材とされた第二の取付部材も採用され得る。
【００５６】
係止部は、第二の取付部材に設けられていれば良く、例えば、前記実施形態において、係止部５０は、第二の取付部材１６を構成する固着部材２２に設けられていても良い。係止部は、係止孔に挿入係止可能であれば、具体的な形状が限定されるものではない。例えば、係止突起が上下両側に突出して設けられており、それら係止突起の形成部分の上下中間部分に上下方向と直交して広がるスリットが形成されて、スリットの上下幅が狭くなることで係止部が撓んで係止孔に挿入されるようにした構造なども採用され得る。
【００５７】
係止部及び係止孔の複数組を設けることもできる。これによれば、防振装置本体がブラケットから抜ける方向へ変位しようとする際に、各係止部と係止孔の挿入係止部分に作用する荷重が分散されて、耐久性の向上が図られる。また、係止部が係止孔に挿入係止されることによる抜止機構に加えて、別の抜止機構を採用することもできる。具体的には、例えば、特開２０１７−２１４９６８号公報に開示されているように、アウタブラケットの嵌着溝内にロック突部を設けて、ロック突部が第二の取付部材の嵌着部と係止されることで抜止機構を構成するようにしても良い。
【００５８】
係止部５０の先端部分が収容される凹所９４は、必須ではない。また、凹所９４を設ける場合に、凹所９４の深さ寸法は、係止部５０の先端部分の長さ寸法より小さくても良い。この場合にも、係止部５０の凹所９４から突出する部分の長さが小さくなることで、周囲の他部材が係止部５０に干渉し難くなる。
【００５９】
防振装置本体のブラケットへの組付けによって受圧室及び平衡室のシールが完了する構造には限定されず、ブラケットに取り付ける前の防振装置本体の単体状態でシールが完了していても良い。また、防振装置本体は、液封構造のものに限定されず、受圧室や平衡室などの液封構造を持たないソリッドタイプの防振装置本体を採用することもできる。
【符号の説明】
【００６０】
１０  エンジンマウント（ブラケット付き防振装置）
１２  マウント本体（防振装置本体）
１４  第一の取付部材
１６  第二の取付部材
１８  本体ゴム弾性体
２０  ねじ穴
２２  固着部材
２４  嵌着部
２６  凹状部
２８  圧入ゴム
３０  仕切部材
３２  仕切部材本体
３４  蓋部材
３６  可動部材
３８  周溝
４０  下連通孔
４２  収容凹所
４４  下透孔
４６  可撓性膜
４８  支持部材
５０  係止部
５２  挿通部
５４  係止突起
５６  傾斜面
５８  受圧室
６０  平衡室
６２  オリフィス通路
６４  インナブラケット
６６  アウタブラケット（ブラケット）
６８  連結部
７０  取付部
７２  ボルト孔
７４  ボルト孔
７６  連結ボルト
７８  脚部
８０  天壁部
８２  取付片
８４  ボルト孔
８５  対向内面
８６  嵌着溝
８８  挟持部
９０  奥壁部
９２  挿通孔
９４  凹所
９６  係止孔
【図１】
2020159446.tif 000003
【図２】
2020159446.tif 000004
【図３】
2020159446.tif 000005
【図４】
2020159446.tif 000006
【図５】
2020159446.tif 000007
【図６】
2020159446.tif 000008